(57)【要約】【課題】シート押さえを保持する保持部の変位を良好に行いつつ、シート押さえのアースを安定してとることができる画像読取装置を提供する。【解決手段】搬送部４は、シート押さえ１４９と、シート押さえ１４９を保持するとともに、第１位置と第２位置との間で変位可能に開閉部９に支持された保持部１６０と、シート押さえ１４９のアースをとるアース部１８０と、を有する。アース部１８０は、開閉部９に設けられ、切欠部１７９が形成された導電部１７０と、保持部１６０とシート押さえ１４９との間に設けられ、シート押さえ１４９を接触部８３に向けて付勢する付勢部１８９と、一端部１８１Ａが付勢部１８９に接続し、第１読取部３Ａの主走査方向に沿う方向に延設され、他端部１８１Ｂに挿通部１８５が形成された延設部１８１と、を含む。挿通部１８５は、切欠部１７９に挿通されて切欠部１７９の周縁１７９Ｅに接触する。【選択図】図９
2017034397.tif 000002
【特許請求の範囲】
【請求項１】
原稿を支持する支持部を有する本体部と、
前記支持部を覆う閉鎖位置と、前記支持部を露出させる開放位置との間で変位可能に前記本体部に支持された開閉部と、
前記開閉部に設けられ、所定の搬送経路に沿ってシートを搬送するとともに、搬送されるシートに接触可能な接触部を有する搬送部と、
前記開閉部内に設けられ、前記搬送部によって搬送されるシートの一面の画像を前記接触部を介して読み取る第１読取部と、
前記本体部内に設けられ、前記支持部に支持された原稿の画像を前記支持部に沿って移動しながら読み取るとともに、前記搬送部によって搬送されるシートの他面の画像を静止した状態で読み取る第２読取部と、を備える画像読取装置であって、
前記搬送部は、前記搬送経路を挟んで前記接触部と対向し、前記搬送部によって搬送されるシートを前記接触部に向けて押圧するシート押さえと、
前記シート押さえを保持するとともに、前記シート押さえを前記接触部と対向させる第１位置と、前記シート押さえを前記接触部から離間させる第２位置との間で変位可能に前記開閉部に支持された保持部と、
前記シート押さえのアースをとるアース部と、を有し、
前記アース部は、前記開閉部に設けられ、切欠部が形成された金属製の導電部と、
前記保持部と前記シート押さえとの間に設けられ、前記シート押さえを前記接触部に向けて付勢する金属製の付勢部と、
一端部が前記付勢部に接続し、前記第１読取部の主走査方向に沿う方向に延設され、他端部に挿通部が形成された金属製の延設部と、を含んで構成され、
前記挿通部は、前記切欠部に挿通されて前記切欠部の周縁に接触することを特徴とする画像読取装置。
【請求項２】
前記付勢部と前記延設部とは、一本の金属線材が曲げ加工されてなる請求項１記載の画像読取装置。
【請求項３】
前記挿通部には、前記切欠部に挿通された状態の前記挿通部が前記切欠部から抜け出ることを抑制する抜け止め部が形成されている請求項１又は２記載の画像読取装置。
【請求項４】
前記保持部は、前記第２読取部の主走査方向に平行な揺動軸心周りに揺動可能に前記開閉部に支持され、
前記導電部は、前記揺動軸心に沿って延設されている請求項１乃至３のいずれか１項記載の画像読取装置。
【請求項５】
前記導電部は、前記保持部に対向する第１面と、前記第１面に対して交差し、前記保持部から離間する方向に延びる第２面とを有し、
前記切欠部は、第１面に形成されている請求項４記載の画像読取装置。
【請求項６】
前記切欠部は、前記主走査方向において、前記導電部の中間位置よりも端部に近い位置に形成されている請求項４又は５記載の画像読取装置。
【請求項７】
前記延設部は、前記一端部から前記主走査方向における前記切欠部とは反対側に向けて延びた後に折り返されて前記他端部まで延びている請求項６記載の画像読取装置。
【請求項８】
前記保持部は、前記主走査方向における前記切欠部寄りに位置する一端に形成された第１軸と、前記主走査方向における他端に形成された第２軸とが前記開閉部に支持されることにより、前記揺動軸心周りに揺動可能であり、
前記保持部が前記開閉部に装着される際、前記第２軸が前記開閉部に支持された後、前記第１軸が前記開閉部に支持される請求項６又は７記載の画像読取装置。
【請求項９】
前記保持部には、前記延設部を前記一端部に近い位置で係止する係止部が形成されている請求項１乃至８のいずれか１項記載の画像読取装置。
【請求項１０】
前記保持部が前記第１位置にある状態で、前記導電部は、前記支持部の支持面に直交する方向から見て、前記シート押さえと重ならない位置にある請求項１乃至９のいずれか１項記載の画像読取装置。
【請求項１１】
前記搬送部は、前記開閉部が前記閉鎖位置にある状態で前記支持部を覆い、前記支持部に支持された原稿を前記支持部に向けて押圧する押圧部を有し、
前記保持部は、前記支持部の支持面に直交する方向から見て、押圧部と重ならない位置にある請求項１乃至１０のいずれか１項記載の画像読取装置。
【請求項１２】
前記延設部は、前記挿通部が前記切欠部に挿通されていない状態で、前記挿通部を前記保持部から前記主走査方向と交差する方向にはみ出させるように延びている請求項１乃至１１のいずれか１項記載の画像読取装置。
【請求項１３】
筐体と、
前記筐体内に設けられ、所定の搬送経路に沿ってシートを搬送するとともに、搬送されるシートに接触可能な接触部を有する搬送部と、
前記筐体内に設けられ、前記搬送部によって搬送されるシートの画像を前記接触部を介して読み取る読取部と、を備える画像読取装置であって、
前記搬送部は、前記搬送経路を挟んで前記接触部と対向し、前記搬送部によって搬送されるシートを前記接触部に向けて押圧するシート押さえと、
前記シート押さえを保持するとともに、前記シート押さえを前記接触部と対向させる第１位置と、前記シート押さえを前記接触部から離間させる第２位置との間で変位可能に前記筐体に支持された保持部と、
前記シート押さえのアースをとるアース部と、を有し、
前記アース部は、前記筐体に設けられ、切欠部が形成された金属製の導電部と、
前記保持部と前記シート押さえとの間に設けられ、前記シート押さえを前記接触部に向けて付勢する金属製の付勢部と、
一端部が前記付勢部に接続し、前記読取部の主走査方向に沿う方向に延設され、他端部に挿通部が形成された金属製の延設部と、を含んで構成され、
前記挿通部は、前記切欠部に挿通されて前記切欠部の周縁に接触することを特徴とする画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、下方ユニット、上方ユニット、搬送部、第１のイメージセンサ及び第２のイメージセンサを備えている。
【０００３】
下方ユニットは、原稿を支持するブックプラテンと、ブックプラテンに隣接する位置に配置されるシースループラテンとを有している。上方ユニットは、ブックプラテンを覆う閉鎖位置と、ブックプラテンを露出させる開放位置との間で変位可能に下方ユニットに支持されている。搬送部は、上方ユニットに設けられている。搬送部は、所定の搬送経路に沿ってシートを搬送するとともに、搬送されるシートに接触可能なコンタクトガラスを有している。
【０００４】
第１のイメージセンサは、上方ユニット内に設けられている。第１のイメージセンサは、搬送部によって搬送されるシートの一面の画像をコンタクトガラスを介して読み取る。第２のイメージセンサは、下方ユニット内に設けられている。第２のイメージセンサは、ブックプラテンに支持された原稿の画像をブックプラテンに沿って移動しながら読み取る。また、搬送部によって搬送されるシートの両面の画像を読み取る場合には、シースループラテンの下方に静止した状態で、搬送部によって搬送されるシートの他面の画像を読み取る。
【０００５】
搬送部は、シート押さえと、シート押さえを保持する保持部とを有している。シート押さえは、搬送経路を挟んでコンタクトガラスと対向し、搬送部によって搬送されるシートをコンタクトガラスに向けて押圧する。特許文献１の図６に示されているように、保持部は、上方ユニットに回動可能に支持されている。保持部が回動することにより、シート押さえがコンタクトガラスから離間する。これにより、シート押さえ及びコンタクトガラスの清掃等や、詰まったシートの除去等のメンテナンスを実施することができる。
【先行技術文献】
【特許文献】
【０００６】
【特許文献１】特許第３５７１２８８号公報
【発明の概要】
【発明が解決しようとする課題】
【０００７】
ところで、上記従来の画像読取装置では、一般的に、シート押さえのアースがとられる。ここで、シート押さえのアースをとる具体例としては、保持部が回動していない状態では、シート押さえに接続されるアース線が上方ユニットに設けられた金属製の導電部の表面に単純に接触することによってシート押さえのアースがとられる。また、保持部が回動すれば、アース線が導電部の表面から離間して保持部の回動を妨げない構成を採用することが考えられる。しかしながら、導電部の表面にはめっき等の防錆処理や各種の表面処理が施されている場合が多い。そのため、アース線が導電部の表面に単純に接触する構成では、アース線と導電部との導通のばらつきが生じ易く、シート押さえのアースを確実にとることが難しい。
【０００８】
本発明は、上記従来の実情に鑑みてなされたものであって、シート押さえを保持する保持部の変位を良好に行いつつ、シート押さえのアースを安定してとることができる画像読取装置を提供することを目的とする。
【課題を解決するための手段】
【０００９】
本発明の画像読取装置は、原稿を支持する支持部を有する本体部と、
前記支持部を覆う閉鎖位置と、前記支持部を露出させる開放位置との間で変位可能に前記本体部に支持された開閉部と、
前記開閉部に設けられ、所定の搬送経路に沿ってシートを搬送するとともに、搬送されるシートに接触可能な接触部を有する搬送部と、
前記開閉部内に設けられ、前記搬送部によって搬送されるシートの一面の画像を前記接触部を介して読み取る第１読取部と、
前記本体部内に設けられ、前記支持部に支持された原稿の画像を前記支持部に沿って移動しながら読み取るとともに、前記搬送部によって搬送されるシートの他面の画像を静止した状態で読み取る第２読取部と、を備える画像読取装置であって、
前記搬送部は、前記搬送経路を挟んで前記接触部と対向し、前記搬送部によって搬送されるシートを前記接触部に向けて押圧するシート押さえと、
前記シート押さえを保持するとともに、前記シート押さえを前記接触部と対向させる第１位置と、前記シート押さえを前記接触部から離間させる第２位置との間で変位可能に前記開閉部に支持された保持部と、
前記シート押さえのアースをとるアース部と、を有し、
前記アース部は、前記開閉部に設けられ、切欠部が形成された金属製の導電部と、
前記保持部と前記シート押さえとの間に設けられ、前記シート押さえを前記接触部に向けて付勢する金属製の付勢部と、
一端部が前記付勢部に接続し、前記第１読取部の主走査方向に沿う方向に延設され、他端部に挿通部が形成された金属製の延設部と、を含んで構成され、
前記挿通部は、前記切欠部に挿通されて前記切欠部の周縁に接触することを特徴とする。
【００１０】
本発明の画像読取装置では、アース部が、導電部と付勢部と延設部とを含んで構成される。延設部の他端部に形成された挿通部が導電部に形成された切欠部に挿通されて切欠部の周縁に接触することで、シート押さえのアースをとる。これにより、この画像読取装置では、延設部の他端部が導電部の表面に単純に接触する場合と比較して、延設部と導電部との導通のばらつきを抑制できる。
【００１１】
また、この画像読取装置では、保持部が第２位置に変位する際には、延設部が撓むことで保持部の変位を妨げない。
【００１２】
したがって、本発明の画像読取装置では、シート押さえを保持する保持部の変位を良好に行いつつ、シート押さえのアースを安定してとることができる。
【００１３】
本発明の別の画像読取装置は、筐体と、
前記筐体内に設けられ、所定の搬送経路に沿ってシートを搬送するとともに、搬送されるシートに接触可能な接触部を有する搬送部と、
前記筐体内に設けられ、前記搬送部によって搬送されるシートの画像を前記接触部を介して読み取る読取部と、を備える画像読取装置であって、
前記搬送部は、前記搬送経路を挟んで前記接触部と対向し、前記搬送部によって搬送されるシートを前記接触部に向けて押圧するシート押さえと、
前記シート押さえを保持するとともに、前記シート押さえを前記接触部と対向させる第１位置と、前記シート押さえを前記接触部から離間させる第２位置との間で変位可能に前記筐体に支持された保持部と、
前記シート押さえのアースをとるアース部と、を有し、
前記アース部は、前記筐体に設けられ、切欠部が形成された金属製の導電部と、
前記保持部と前記シート押さえとの間に設けられ、前記シート押さえを前記接触部に向けて付勢する金属製の付勢部と、
一端部が前記付勢部に接続し、前記読取部の主走査方向に沿う方向に延設され、他端部に挿通部が形成された金属製の延設部と、を含んで構成され、
前記挿通部は、前記切欠部に挿通されて前記切欠部の周縁に接触することを特徴とする。
【００１４】
本発明の別の画像読取装置でも、挿通部が切欠部に挿通されて切欠部の周縁に接触することで、延設部と導電部との導通のばらつきを抑制できるとともに、保持部が第２位置に変位する際には、延設部が撓むことで保持部の変位を妨げない。
【００１５】
したがって、本発明の別の画像読取装置でも、シート押さえを保持する保持部の変位を良好に行いつつ、シート押さえのアースを安定してとることができる。
【図面の簡単な説明】
【００１６】
【図１】実施例の画像読取装置の斜視図である。
【図２】実施例の画像読取装置の模式正面図である。
【図３】開放位置にある開閉部と、第１位置にある保持部等とを主に示す部分斜視図である。
【図４】実施例の画像読取装置の部分断面図である。
【図５】第１位置にある保持部を主に示す部分断面図である。
【図６】開放位置にある開閉部と、第２位置に変位した保持部等とを主に示す部分斜視図である。
【図７】第２位置に変位した保持部等を主に示す部分断面図である。
【図８】開閉部における接触部及び導電部の周辺と、開閉部から取り外された保持部等とを主に示す部分斜視図である。
【図９】（ａ）は、シート押さえ、保持部、付勢部及び延設部を示す斜視図であり、（ｂ）は、保持部、付勢部及び延設部を示す斜視図である。
【図１０】切欠部に挿通された挿通部を主に示す部分斜視図である。
【図１１】導電部における切欠部とは反対側の端部を主に示す部分斜視図である。
【図１２】保持部の第１軸が開閉部に支持された状態を主に示す部分斜視図である。
【発明を実施するための形態】
【００１７】
以下、本発明を具体化した実施例を図面を参照しつつ説明する。
【００１８】
（実施例）
図１に示すように、実施例の画像読取装置１は、本発明の画像読取装置の具体的態様の一例である。図１では、操作パネル８Ｐが配置される側を装置の前方と規定し、操作パネル８Ｐに向かった場合に左手に来る側を左方と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１９】
＜構成＞
図１〜図５に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている
【００２０】
図２に示すように、読取ユニット３は、本体部８内の上部分に位置している。画像形成ユニット５は、本体部８内の下部分に収容されている。画像形成ユニット５は、インクジェット方式又はレーザ方式等によりシートに画像を形成する。
【００２１】
図３〜図５に示すように、本体部８の上面には、第１プラテンガラス８１、第２プラテンガラス８２及び枠体８Ｗが配設されている。第１プラテンガラス８１は、本発明の「支持部」の一例である。
【００２２】
第１プラテンガラス８１の上面によって、支持面８１Ａが形成されている。支持面８１Ａは、静止した状態の原稿の画像を読取ユニット３が読み取る際に、その原稿を下から支持する。読取対象の原稿には、用紙、ＯＨＰシート等であるシートの他、書籍等が含まれる。
【００２３】
第２プラテンガラス８２は、第１プラテンガラス８１の左に位置して前後方向に細長く延びている。第２プラテンガラス８２の上面によって、読取面８２Ａが形成されている。読取面８２Ａは、搬送部４によって１枚ずつ搬送されるシートＳＨの画像を読取ユニット３が読み取る際に、その搬送されるシートＳＨに下から接触する。
【００２４】
なお、本実施例においては、支持面８１Ａを使用して画像が読み取られる対象を原稿と記載し、搬送部４により搬送しながら画像が読み取られる対象をシートと記載する。原稿とシートとは、実質的に同じものであってもよい。
【００２５】
枠体８Ｗは、第１プラテンガラス８１及び第２プラテンガラス８２の周縁を囲っている。枠体８Ｗにおける第２プラテンガラス８２に左から隣接する部分には、案内部８９が形成されている。案内部８９は、枠体８Ｗの上面から上向きに突出しつつ、前後方向に延びている。案内部８９の上を向く面は、左端から右端に向かって高さが低くなる傾斜面８９Ａとされている。すなわち、傾斜面８９Ａは、読取面８２Ａに接近するように右向きに下り傾斜している。
【００２６】
図１に示すように、開閉部９は、本体部８の後部に配設された図示しないヒンジによって、左右方向に延びる開閉軸心Ｘ９周りで揺動可能に支持されている。開閉部９は、本発明の「筐体」の一例でもある。開閉部９は、図１、図２、図４及び図５に示す閉鎖位置では、支持面８１Ａを上方から覆っている。開閉部９は、その前端部が上方かつ後方に変位するように開閉軸心Ｘ９周りで揺動することにより、図３及び図６に示す開放位置に変位する。開閉部９は、開放位置で支持面８１Ａを露出させる。これにより、ユーザは読取対象の原稿を支持面８１Ａに支持させることができる。
【００２７】
なお、開閉部９の構成やその内部構造について説明する際には、上下方向及び前後方向について、閉鎖位置にある開閉部９の姿勢を基準とする。
【００２８】
図２、図４及び図５に示すように、読取ユニット３は、本体部８内の上部分に収容された読取センサ３Ｂ及び図示しない走査機構と、開閉部９内に収容された読取センサ３Ａとを有している。読取センサ３Ａは、本発明の「第１読取部」の一例であるとともに、本発明の「読取部」の一例でもある。読取センサ３Ｂは、本発明の「第２読取部」の一例である。読取センサ３Ａ、３Ｂとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが使用される。
【００２９】
読取センサ３Ｂは、主走査方向である前後方向に延在しており、その上面に図示しない複数の受光素子が列設されている。
【００３０】
図４に示すように、読取センサ３Ｂは、支持面８１Ａ及び読取面８２Ａの下方に位置している。図示しない走査機構は、支持面８１Ａに支持される原稿の画像を読み取る際に、読取センサ３Ｂを本体部８内における支持面８１Ａの下方で左右方向に往復動させる。また、図示しない走査機構は、搬送部４によって搬送されるシートＳＨの画像を読取センサ３Ｂが読み取る際に、読取センサ３Ｂを本体部８内における読取面８２Ａの下方の静止読取位置で停止させる。
【００３１】
図２、図４及び図５に示すように、読取センサ３Ａは、開閉部９内における搬送経路Ｐ１の途中に配設されている。図５に示すように、読取センサ３Ａは、第３プラテンガラス８３を介して搬送経路Ｐ１に臨んでいる。読取センサ３Ａも、読取センサ３Ｂと同様に、主走査方向である前後方向に延在している。第３プラテンガラス８３は、本発明の「接触部」の一例である。第３プラテンガラス８３の下を向く面は、読取面８３Ａとされている。読取面８３Ａは、搬送部４によって搬送されるシートＳＨの画像を読取センサ３Ａが読み取る際に、その搬送されるシートＳＨに上から接触する。
【００３２】
図２、図４及び図５に示すように、搬送部４は、開閉部９に設けられている。搬送部４は、供給トレイ９１及び排出トレイ９２を有している。図１及び図２に示すように、供給トレイ９１は、開閉部９の右部分に位置している。排出トレイ９２は、供給トレイ９１よりも下方に位置している。
【００３３】
図４に示すように、供給トレイ９１は、搬送部４によって搬送される読取対象のシートＳＨを下から支持する。供給トレイ９１に支持されるシートＳＨの上を向く面を一面ＳＨ１とする。供給トレイ９１に支持されるシートＳＨの下を向く面、すなわち一面ＳＨ１とは反対を向く面を他面ＳＨ２とする。排出トレイ９２には、読取センサ３Ａ、３Ｂによって画像が読み取られ、搬送部４によって搬送されたシートＳＨが排出される。シートＳＨが排出トレイ９２に排出されると、一面ＳＨ１は下を向き、他面ＳＨ２は上を向く。
【００３４】
図４及び図５に示すように、搬送部４は、第１シュート部材１１０、第２シュート部材１２０、第１カバー部材１３０及び第２カバー部材１４０を含んでいる。搬送部４は、搬送経路Ｐ１を有する。搬送経路Ｐ１は、第１シュート部材１１０、第２シュート部材１２０、第１カバー部材１３０及び第２カバー部材１４０に形成され、開閉部９内でシートＳＨの一面ＳＨ１又は他面ＳＨ２に当接可能に延びる複数のガイド面によって囲まれた空間として規定される。搬送経路Ｐ１は、上経路ＰＡ１と下経路ＰＢ１と湾曲経路ＰＣ１とを含んでいる。
【００３５】
図４及び図５に示すように、上経路ＰＡ１は、供給トレイ９１から開閉部９の左端部近傍まで延びている。上経路ＰＡ１は、供給トレイ９１に連続する部分が下り傾斜し、後述する供給ローラ４１と分離ローラ４２との間にある位置を境に、上り傾斜している。
【００３６】
下経路ＰＢ１は、上経路ＰＡ１に対して下方に位置している。下経路ＰＢ１は、開閉部９の左端部近傍から排出トレイ９２まで延びている。下経路ＰＢ１は、開閉部９の左端部近傍から読取面８２Ａに接近するように下り傾斜し、読取面８２Ａに沿って略水平に右方に延びた後、排出トレイ９２に向かって上り傾斜している。
【００３７】
湾曲経路ＰＣ１は、左方に膨らむように湾曲しつつ、上経路ＰＡ１の左端と下経路ＰＢ１の左端とを接続している。
【００３８】
下経路ＰＢ１は、読取面８２Ａに沿って略水平に右方に延びる部分、すなわち、湾曲経路ＰＣ１よりも下方に位置する所定の部分を基準部ＰＢ１０として、第１傾斜部ＰＢ１１と第２傾斜部ＰＢ１２とを含んでいる。
【００３９】
第１傾斜部ＰＢ１１は、下経路ＰＢ１のうち、開閉部９の左端部近傍から読取面８２Ａに接近するように下り傾斜する部分、すなわち、湾曲経路ＰＣ１から基準部ＰＢ１０に向かって下り傾斜する部分である。
【００４０】
第２傾斜部ＰＢ１２は、下経路ＰＢ１のうち、読取面８２Ａから排出トレイ９２に向かって上り傾斜する部分、すなわち、基準部ＰＢ１０から湾曲経路ＰＣ１とは反対側に向かって上り傾斜する部分である。
【００４１】
搬送部４は、搬送経路Ｐ１において上経路ＰＡ１から湾曲経路ＰＣ１を経由して下経路ＰＢ１にシートＳＨを搬送する。搬送経路Ｐ１におけるシートＳＨの搬送方向は、上経路ＰＡ１では左向きであり、湾曲経路ＰＣ１では左向きから変化して右向きになり、下経路ＰＢ１では右向きである。搬送経路Ｐ１において、上経路ＰＡ１の右端が搬送方向の最も上流であり、下経路ＰＢ１の右端が搬送方向の最も下流である。
【００４２】
第１シュート部材１１０は、その上面によって、上経路ＰＡ１を規定する第１ガイド面１１１を形成している。第１ガイド面１１１は、上経路ＰＡ１を搬送されるシートＳＨの他面ＳＨ２に当接可能に延在し、上経路ＰＡ１においてシートＳＨを下から案内する。
【００４３】
第１シュート部材１１０の左端部には、上湾曲面１１６が形成されている。上湾曲面１１６は、湾曲経路ＰＣ１の上部分を規定している。上湾曲面１１６は、湾曲経路ＰＣ１の上部分を搬送されるシートＳＨの他面ＳＨ２に当接可能に延在し、湾曲経路ＰＣ１の上部分においてシートＳＨを下及び右から案内する。
【００４４】
第２シュート部材１２０は、第１シュート部材１１０に対して、下から組み付けられている。第２シュート部材１２０の左端部には、下湾曲面１２６が形成されている。下湾曲面１２６は、湾曲経路ＰＣ１の下部分を規定している。下湾曲面１２６は、湾曲経路ＰＣ１の下部分を搬送されるシートＳＨの他面ＳＨ２に当接可能に延在し、湾曲経路ＰＣ１の下部分においてシートＳＨを右及び上から案内する。
【００４５】
第２シュート部材１２０の下面は、下湾曲面１２６に接続して右向きに下り傾斜している。第２シュート部材１２０は、その下面によって、下経路ＰＢ１の第１傾斜部ＰＢ１１を規定する第２ガイド面１２２を形成している。第２ガイド面１２２は、第１傾斜部ＰＢ１１を搬送されるシートＳＨの他面ＳＨ２に当接可能に延在し、第１傾斜部ＰＢ１１においてシートＳＨを上から案内する。
【００４６】
第２シュート部材１２０には、読取センサ保持部１２９が上向きに凹設されている。読取センサ保持部１２９の内部には、読取センサ３Ａが保持されている。読取センサ保持部１２９は、第３プラテンガラス８３によって塞がれている。
【００４７】
第３プラテンガラス８３の読取面８３Ａは、第１傾斜部ＰＢ１１に沿って右向きに下り傾斜している。読取面８３Ａは、第２ガイド面１２２とともに、第１傾斜部ＰＢ１１を規定する。読取センサ３Ａの読取面３ＡＡは、第３プラテンガラス８３の読取面８３Ａと平行、すなわち、第１傾斜部ＰＢ１１に沿って斜め下向きに配設されている。読取センサ３Ａの読取面３ＡＡは、第３プラテンガラス８３の読取面８３Ａを介して、第１傾斜部ＰＢ１１に対向する。
【００４８】
第２シュート部材１２０の下面には、シート押さえ４９が保持されている。シート押さえ４９は、第２ガイド面１２２に右から隣接する位置にあって、読取面８２Ａに上から対向している。
【００４９】
第２シュート部材１２０とシート押さえ４９との間には、圧縮コイルバネ４９Ｓが配設されている。圧縮コイルバネ４９Ｓは、シート押さえ４９を読取面８２Ａに向けて付勢する。シート押さえ４９の下面は、下経路ＰＢ１の基準部ＰＢ１０を規定している。シート押さえ４９の下面は、基準部ＰＢ１０を搬送されるシートＳＨの他面ＳＨ２に当接可能に延在し、基準部ＰＢ１０においてシートＳＨを上から案内する。
【００５０】
第２シュート部材１２０の下面は、シート押さえ４９に右から隣接する位置から右向きに上り傾斜している。第２シュート部材１２０は、その下面によって、下経路ＰＢ１の第２傾斜部ＰＢ１２を規定する第３ガイド面１２３を形成している。第３ガイド面１２３は、第２傾斜部ＰＢ１２を搬送されるシートＳＨの他面ＳＨ２に当接可能に延在し、第２傾斜部ＰＢ１２においてシートＳＨを上から案内する。
【００５１】
第１カバー部材１３０は、第１シュート部材１１０に対して上から組み付けられている。第１カバー部材１３０の下面には、複数のリブ１３０Ｒが形成されている。第１カバー部材１３０は、各リブ１３０Ｒの下端縁によって、第４ガイド面１３４を形成している。第４ガイド面１３４は、上経路ＰＡ１及び湾曲経路ＰＣ１の上部分を規定する。第４ガイド面１３４は、上経路ＰＡ１及び湾曲経路ＰＣ１の上部分を搬送されるシートＳＨの一面ＳＨ１に当接可能に延在し、上経路ＰＡ１及び湾曲経路ＰＣ１の上部分においてシートＳＨを上及び左から案内する。
【００５２】
第２カバー部材１４０は、第１シュート部材１１０及び第２シュート部材１２０に対して下から組み付けられている。図４に示すように、第２カバー部材１４０の右部分の上面は、排出トレイ９２を構成している。
【００５３】
図４〜図８に示すように、第２カバー部材１４０の左端部の下面には、収容部１４１が上向きに凹むように形成されている。第２カバー部材１４０における収容部１４１よりも右には、開口１４０Ｈが上下方向に貫設されている。
【００５４】
図８に示すように、収容部１４１は、第３プラテンガラス８３よりも若干短い長さで前後方向に延びている。収容部１４１には、金属製の導電部１７０が取り付けられている。導電部１７０の前端部は、収容部１４１の前方の内壁に嵌入されている。図８及び図１１に示すように、導電部１７０の後端部は、収容部１４１の後方の内壁に止めネジ１７０Ｂによって締結されている。止めネジ１７０Ｂには、アース配線Ｅ１が接続されている。
【００５５】
図５及び図８に示すように、導電部１７０は、金属板材が折り曲げ加工されて、第１面１７１と、第２面１７２Ｍ、１７２Ｎとを有する断面略Ｃ字形状とされている。第１面１７１は、下方を向きつつ、前後方向に延在する平面である。第２面１７２Ｍは、第１面１７１の左端縁に接続し、上向きに延びている。第２面１７２Ｎは、第１面１７１の右端縁に接続し、上向きに延びている。よって、第２面１７２Ｎと第２面１７２Ｍとは第１面１７１を介して対向している。
【００５６】
図８及び図１０に示すように、導電部１７０の第１面１７１には、切欠部１７９が形成されている。切欠部１７９は、導電部１７０の第１面１７１を上下方向に貫通する丸穴である。切欠部１７９は、前後方向において、導電部１７０の中間位置よりも前端部に近い位置に形成されている。
【００５７】
導電部１７０は、一般的に、防錆等のために表面処理された金属板材が所定の形状に切り出され、折り曲げ加工されてなる。このため、第１面１７１及び第２面１７２Ｍ、１７２Ｎには表面処理の皮膜が残存している。その一方、切欠部１７９の周縁１７９Ｅは、打ち抜き加工等によって表面処理されていない部分が露出することによって形成される。
【００５８】
図８に示すように、開口１４０Ｈは、第２シュート部材１２０の第２ガイド面１２２、第３プラテンガラス８３の読取面８３Ａ及びシート押さえ４９を露出させる大きさの略矩形状の開口である。
【００５９】
図４及び図５に示すように、第２カバー部材１４０において、収容部１４１よりも上方、かつ開口１４０Ｈよりも左方には、第５ガイド面１４５Ａが形成されている。第５ガイド面１４５Ａは、湾曲経路ＰＣ１の下部分を規定する。第５ガイド面１４５Ａは、湾曲経路ＰＣ１の下部分を搬送されるシートＳＨの一面ＳＨ１に当接可能に延在し、湾曲経路ＰＣ１の下部分及び下経路ＰＢ１の第１傾斜部ＰＢ１１においてシートＳＨを左及び下から案内する。
【００６０】
図４に示すように、第２カバー部材１４０において、開口１４０Ｈより右方には第５ガイド面１４５Ｂが形成されている。第５ガイド面１４５Ｂは、下経路ＰＢ１の第２傾斜部ＰＢ１２を規定する。第５ガイド面１４５Ｂは、下経路ＰＢ１の第２傾斜部ＰＢ１２を搬送されるシートＳＨの一面ＳＨ１に当接可能に延在し、下経路ＰＢ１の第２傾斜部ＰＢ１２においてシートＳＨを下から案内する。
【００６１】
図３及び図４に示すように、第２カバー部材１４０の下面のうちの開口１４０Ｈより右方には、押圧部９９が貼り付けられている。押圧部９９は、スポンジ等の圧縮変形し易い素材からなり、第１プラテンガラス８１の支持８１Ａとほぼ同じ大きさの略矩形状とされたシートである。押圧部９９は、開閉部９が閉鎖位置にある状態で第１プラテンガラス８１を覆い、第１プラテンガラス８１に支持された原稿を支持面８１Ａに向けて押圧する。
【００６２】
図５及び図７に示すように、搬送部４は、シート押さえ１４９、保持部１６０及びアース部１８０を有している。シート押さえ１４９は、本発明の「シート押さえ」の一例である。シート押さえ１４９は、保持部１６０に保持されている。保持部１６０は、図３〜図５に示すシート押さえ１４９を第３プラテンガラス８３と対向させる第１位置と、図６及び図７に示すシート押さえ１４９を第３プラテンガラス８３から離間させる第２位置との間で、前後方向に延びる揺動軸心Ｘ１６０周りに揺動可能に第２カバー部材１４０の左端部に支持されている。
【００６３】
シート押さえ１４９、保持部１６０及びアース部１８０の形状等について以下に説明する。以下の説明では、上下方向及び前後方向について、開閉部９が閉鎖位置にあり、保持部１６０が第１位置にある状態を基準とし、図９〜図１２に示す上下方向、前後方向及び左右方向もそれに対応して表示する。なお、図８だけは、保持部１６０が第２位置と同じ姿勢で第２カバー部材１４０の左端部から取り外された状態を示している。
【００６４】
図９（ａ）に示すように、シート押さえ１４９は、金属板材が折り曲げ加工されてなる。シート押さえ１４９は、第３コンタクトガラス８３に対応して、前後方向に長く延びている。シート押さえ１４９の前後の端部は、下向きに曲げられており、これらの部分は１対の被保持部１４９Ｓ、１４９Ｓを構成している。
【００６５】
図５に示すように、シート押さえ１４９の断面形状は、第２カバー部材１４０の左端部に近い端縁から第１傾斜部ＰＢ１１に接近するように右向きに延びる部分と、その後に屈曲して、第１傾斜部ＰＢ１１（第３プラテンガラス８３の読取面８３Ａ）に沿って下り傾斜する部分と、最後に、第１傾斜部ＰＢ１１から離間する方向に屈曲する部分とを有している。
【００６６】
図９（ｂ）に示すように、保持部１６０は樹脂成形品であり、図８に示す収容部１４１に収容されることが可能な大きさである。保持部１６０の前後の端部には、１対の保持軸１６８、１６８が形成されている。保持軸１６８、１６８は、保持部１６０の前端部に設けられる前端壁、及び保持部１６０の後端部に設けられる後端壁から、前後方向の中央に向かって互いに近づく方向に突出している。図９（ａ）に示すように、シート押さえ１４９の被保持部１４９Ｓ、１４９Ｓには、保持軸１６８、１６８がそれぞれ係合可能な穴が形成されている。被保持部１４９Ｓ、１４９Ｓの穴に保持軸１６８、１６８が挿通されることにより、シート押さえ１４９は、保持部１６０に保持される。また、保持軸１６８、１６８に対して、被保持部１４９Ｓ、１４９Ｓの穴が大き目に形成されることで、シート押さえ１４９は、後述する付勢部１８９の作用により第３コンタクトガラス８３に接近可能に保持部１６０に保持される。
【００６７】
図９（ｂ）に示すように、保持部１６０の前端部には、保持軸１６８よりも左となる位置に、前方に向かって突出する第１軸１６１が形成されている。同様に、保持部１６０の後端部には、保持軸１６８よりも左となる位置に、後方に向かって突出する第２軸１６２が形成されている。第１軸１６１及び第２軸１６２は、前後方向に延びる揺動軸心Ｘ１６０を規定する。保持部１６０は、第１軸１６１及び第２軸１６２を介して、第２カバー部材１４０に取り付けられるが、詳細は後述する。
【００６８】
保持部１６０において、第１軸１６１及び第２軸１６２の近傍には、捻りコイルバネ１６１Ｓ、１６２Ｓが組み付けられている。捻りコイルバネ１６１Ｓ、１６２Ｓは、保持部１６０が第２カバー部材１４０に支持された状態で、保持部１６０を第１位置に維持する付勢力を発揮する。
【００６９】
アース部１８０は、シート押さえ１４９のアースをとるためのものである。アース部１８０は、上述した導電部１７０と、以下に説明する付勢部１８９及び延設部１８１とを含んで構成されている。
【００７０】
図９（ａ）及び（ｂ）に示すように、付勢部１８９と延設部１８１とは、一本の金属線材が曲げ加工されてなる。
【００７１】
付勢部１８９は、保持部１６０とシート押さえ１４９との間に設けられている。付勢部１８９は、金属線材が圧縮コイルバネ形状に巻かれている。付勢部１８９は、シート押さえ１４９を第３プラテンガラス８３に向けて付勢する付勢力を発揮する。
【００７２】
延設部１８１は、一端部１８１Ａが付勢部１８９に接続している。延設部１８１は、一端部１８１Ａから前後方向における切欠部１７９とは反対方向に向かって延びた後に折り返されて屈曲部分を形成し、さらに前方に向かって延びている。延在部１８１の他端部１８１Ｂは、保持部１６０の前端部近くまで延びている。
【００７３】
保持部１６０には、前後方向における中央部よりも後方となる位置に、係止部１６９が形成されている。係止部１６９は、保持部１６０の平板部分から上向きに突出した後、後向きに屈曲している。係止部１６９には、延設部１８１の屈曲部分が引っ掛けられている。これにより、係止部１６９は、延設部１８１を一端部１８１Ａに近い位置で係止する。
【００７４】
図１０等に示すように、延設部１８１の他端部１８１Ｂには、挿通部１８５が形成されている。挿通部１８５は、他端部１８１Ｂから屈曲し、略Ｖ字状に折り曲げられている。具体的には、挿通部１８５は、金属線材を鋭角となるように折り曲げて形成されており、先細った形状となっている。
【００７５】
挿通部１８５には、抜け止め部１８７が形成されている。抜け止め部１８７は、挿通部１８５における鋭角の頂点から離れた位置において、対向する金属線材を近づける方向に屈曲させることにより形成される。また、金属線材における挿通部１８５よりもさらに端となる部分は、円形に曲げられている。
【００７６】
図８及び図９に示すように、延設部１８１は、挿通部１８５が導電部１７０の切欠部１７９に挿通されていない状態で、保持部１６０における前後方向に対して、ずれた方向に延びている。より具体的には、図９に示すように、保持部１６０を上方から見た場合に、延設部１８１の挿通部１８５寄りの部分は、保持部１６０から左方向に突出して延びている。
【００７７】
図１０に示すように、挿通部１８５は、保持部１６０が第２カバー部材１４０に装着される前に、導電部１７０の切欠部１７９に挿通されて、切欠部１７９の周縁１７９Ｅに接触する。この状態で、抜け止め部１８７は、その屈曲形状によって、切欠部１７９に挿通された状態の挿通部１８５が切欠部１７９から抜け出ることを抑制する。その結果、付勢部１８９、延設部１８１、挿通部１８５、切欠部１７９、導電部１７０、及びアース配線Ｅ１を経由して、シート押さえ１４９のアースがとられる。
【００７８】
この状態で、保持部１６０は、以下のようにして、第２カバー部材１４０に装着される。図１０及び図１２に示すように、第２カバー部材１４０において、収容部１４１の前端には、揺動軸心Ｘ１６０を規定する支持凹部１４１Ｍが形成されている。また、図１１に示すように、第２カバー部材１４０において、収容部１４１の後端には、揺動軸心Ｘ１６０を規定する支持穴１４１Ｈが形成されている。
【００７９】
保持部１６０が第２カバー部材１４０の左端部に装着される際、図９に示す第２軸１６２が図１１に示す支持穴１４１Ｈに対して、前方から後方に向かって挿入される。その後、図９に示す第１軸１６１が図１０及び図１２に示す支持凹部１４１Ｍに対して、下方から上方に向かって挿入される。そして、図１２に示す規制部材１４１Ｔを収容部１４１の前端にネジ止めして、第１軸１６１が支持凹部１４１Ｍから外れることを規制する。
【００８０】
こうして、保持部１６０は、第１軸１６１と第２軸１６２とが第２カバー部材１４０の左端部に支持されることにより、揺動軸心Ｘ１６０周りに揺動可能となる。
【００８１】
図４に示すように、保持部１６０が第１位置にある状態で、導電部１７０は、第１プラテンガラス８１の支持面８１Ａに直交する方向である上下方向から見て、シート押さえ１４９と重ならない位置にある。また、保持部１６０は、上下方向から見て、押圧部９９と重ならない位置にある。
【００８２】
図４及び図５に示すように、開閉部９が閉鎖位置にある状態で、第１位置にある保持部１６０に保持されたシート押さえ１４９の上面と、枠体８Ｗに形成された傾斜面８９Ａとは、第１傾斜部ＰＢ１１に沿って右向きに下り傾斜している。シート押さえ１４９の上面は、第３プラテンガラス８３に対向し、傾斜面８９Ａとともに、第１傾斜部ＰＢ１１を規定する。シート押さえ１４９の上面は、第１傾斜部ＰＢ１１を通過するシートＳＨの一面ＳＨ１に当接可能に延在し、下経路ＰＢ１の第１傾斜部ＰＢ１１においてシートＳＨを下から案内する。また、シート押さえ１４９は、付勢部１８９に付勢されることにより、搬送部４によって搬送されるシートＳＨを第３プラテンガラス８３に向けて押圧する。
【００８３】
開閉部９が閉鎖位置にあり、保持部１６０が第１位置にある状態において、開口１４０Ｈは、読取面８２Ａの真上に位置し、読取面８２Ａとシート押さえ４９とを対面させる。これにより、読取面８２Ａは、下経路ＰＢ１の基準部ＰＢ１０を規定する。読取面８２Ａは、基準部ＰＢ１０を搬送されるシートＳＨの一面ＳＨ１に当接可能に延在し、基準部ＰＢ１０においてシートＳＨを下から案内する。湾曲経路ＰＣ１から基準部ＰＢ１０に向かって下り傾斜する第１傾斜部ＰＢ１１は、換言すると、湾曲経路ＰＣ１から静止読取位置に停止する読取センサ３Ｂに向かって下り傾斜している。
【００８４】
図６及び図７に示すように、開閉部９が開放位置にある状態において、保持部１６０が第２位置に変位すると、第２シュート部材１２０の第２ガイド面１２２、第３プラテンガラス８３の読取面８３Ａ及びシート押さえ４９が露出する状態になる。つまり、開閉部９が開放位置にある状態において、保持部１６０が第２位置に変位することによって、下経路ＰＢ１における第１傾斜部ＰＢ１１及び基準部ＰＢ１０が開放される。これにより、第１傾斜部ＰＢ１１の周辺でシートＳＨが詰まった場合に、その詰まったシートＳＨを容易に除去できる。ここで、保持部１６０が第２位置に変位する際には、延設部１８１が撓むことで保持部１６０の揺動を妨げないように構成されている。
【００８５】
図４及び図５に示すように、搬送部４は、上経路ＰＡ１のうち、供給トレイ９１に近い位置に設けられる供給ローラ４１、分離ローラ４２及び分離片４３を含んでいる。
【００８６】
供給ローラ４１と分離ローラ４２とは、第１シュート部材１１０の第１ガイド面１１１に対して上から対向する位置に設けられている。分離片４３は、第１シュート部材１１０の上面と共にシートの搬送面を形成しており、分離ローラ４２に下から対向する位置に設けられている。分離片４３は、ゴムやエラストマー等の軟質材料からなる板状体である。分離片４３は、付勢バネ４３Ｓによって、分離ローラ４２に押圧される。
【００８７】
供給ローラ４１と分離ローラ４２とは同期回転する。供給ローラ４１は、供給トレイ９１に支持されるシートＳＨに搬送力を付与して、そのシートＳＨを分離ローラ４２に向けて送り出す。分離ローラ４２は、供給トレイ９１から上経路ＰＡ１に送り出されるシートＳＨに接触しつつ回転し、シートＳＨを湾曲経路ＰＣ１に向けて搬送する。分離片４３は、分離ローラ４２によって搬送されるシートＳＨを分離ローラ４２と協働して１枚ずつに分離する。
【００８８】
搬送部４は、第１搬送ローラ４４、ピンチローラ４４Ｐ、第２搬送ローラ４５、ピンチローラ４５Ｐ、排出ローラ４８及びピンチローラ４８Ｐを有している。
【００８９】
第１搬送ローラ４４及びピンチローラ４４Ｐは、上経路ＰＡ１において、分離ローラ４２及び分離片４３よりも左、すなわち、搬送方向の下流に配設されている。第１搬送ローラ４４は、第１ガイド面１１１側から一部が露出するように配置される。ピンチローラ４４Ｐは、第４ガイド面１３４から一部が露出するように配置される。第１搬送ローラ４４及びピンチローラ４４Ｐは、分離ローラ４２及び分離片４３によって１枚ずつに分離されたシートＳＨをニップし、湾曲経路ＰＣ１に向かって搬送する。
【００９０】
第２搬送ローラ４５及びピンチローラ４５Ｐは、湾曲経路ＰＣ１の下部分に配設されている。第２搬送ローラ４５及びピンチローラ４５Ｐは、読取センサ３Ａよりも左方かつ上方、すなわち、搬送方向の上流に位置している。第２搬送ローラ４５は、下湾曲面１２６から一部が露出するように配置される。ピンチローラ４５Ｐは、第５ガイド面１４５Ａから一部が露出するように配置される。
【００９１】
第２搬送ローラ４５及びピンチローラ４５Ｐは、第１搬送ローラ４４及びピンチローラ４４Ｐによって搬送されるシートＳＨをニップし、第１傾斜部ＰＢ１１に沿って配置される読取センサ３Ａ、及び静止読取位置に停止して基準部ＰＢ１０に対向する読取センサ３Ｂに向けて、そのシートＳＨを搬送する。この際、そのシートＳＨは、押圧部材１４９によって、読取面８３Ａからの浮き上がりを抑制されながら搬送される。また、そのシートＳＨは、シート押さえ４９によって、読取面８２Ａからの浮き上がりを抑制されながら搬送される。
【００９２】
図４に示すように、排出ローラ４８及びピンチローラ４８Ｐは、下経路ＰＢ１の第２傾斜部ＰＢ１２の右端で排出トレイ９２の上流側に配設されている。排出ローラ４８は、第３ガイド面１２３に隣接しており、ピンチローラ４８Ｐは、第５ガイド面１４５Ｂに隣接している。排出ローラ４８及びピンチローラ４８Ｐは、読取面８２Ａ上を通過したシートＳＨをニップして、排出トレイ９２に排出する。
【００９３】
＜画像読取動作＞
この画像読取装置１では、支持面８１Ａに支持された原稿の画像を読み取る場合、読取ユニット３において、図示しない走査機構が作動して読取センサ３Ｂを支持面８１Ａの左端縁の下方である読取開始位置から右端縁の下方である読取終了位置までの間で左右方向に移動させる。これにより、読取センサ３Ｂは、支持面８１Ａに支持された原稿の画像を読み取る。その後、図示しない走査機構は、読み取りを終えた読取センサ３Ｂを読取ユニット３内における右端から左端に移動させ、待機位置に復帰させる。
【００９４】
また、この画像読取装置１では、供給トレイ９１上のシートＳＨを搬送部４によって搬送し、そのシートＳＨの一面ＳＨ１及び他面ＳＨ２の画像を読み取る場合、読取ユニット３において、図示しない走査機構が作動して読取センサ３Ｂを読取面８２Ａの下方である静止読取位置に停止させる。読取センサ３Ｂは、静止読取位置において、下経路ＰＢ１の基準部ＰＢ１０と対向する。
【００９５】
そして、搬送部４が供給トレイ９１上のシートＳＨを搬送経路Ｐ１に沿って順次搬送すると、そのシートＳＨは、上経路ＰＡ１及び湾曲経路ＰＣ１を通過し、下経路ＰＢ１に至る。すると、読取センサ３Ａは、第１傾斜部ＰＢ１１を通過するシートＳＨの他面ＳＨ２の画像を読み取る。次に、静止読取位置に停止した読取センサ３Ｂは、基準部ＰＢ１０を通過するシートＳＨの一面ＳＨ１の画像を読み取る。そして、画像が読み取られたシートＳＨは、第２傾斜部ＰＢ１２を通過し、排出ローラ４８及びピンチローラ４８Ｐによって、排出トレイ９２に排出される。その後、図示しない走査機構は、読取センサ３Ｂを待機位置に復帰させる。シートＳＨの片面を読み取る場合には、読取センサ３ＢのみによりシートＳＨの画像を読み取る。
【００９６】
＜作用効果＞
実施例の画像読取装置１では、図５及び図７〜図１０に示すように、アース部１８０が導電部１７０と付勢部１８９と延設部１８１とを含んで構成されている。そして、延設部１８１の他端部１８１Ｂに形成された挿通部１８５が導電部１７０に形成された貫通穴である切欠部１７９に挿通されて切欠部１７９の周縁１７９Ｅに接触する。その結果、付勢部１８９、延設部１８１、挿通部１８５、切欠部１７９、導電部１７０、及びアース配線Ｅ１を経由して、シート押さえ１４９のアースがとられる。このため、搬送部４によって搬送されるシートＳＨとシート押さえ１４９との摩擦による静電気が発生しても、その電荷をアース部１８０及びアース配線Ｅ１を経由して好適に逃がすことができる。
【００９７】
ここで、図１０に示すように、導電部１７０の第１面１７１及び第２面１７２Ｍ、１７２Ｎには、通常、表面処理の皮膜が残存している。一方、切欠部１７９の周縁１７９Ｅは、打ち抜き加工等によって表面処理されていない部分が露出している。このため、この画像読取装置１では、仮に延設部１８１の他端部１８１Ｂが挿通部１８５無しで導電部１７０の第１面１７１等に単純に接触する場合と比較して、延設部１８１と導電部１７０との導通のばらつきを抑制できる。
【００９８】
また、この画像読取装置１では、図７に示すように、保持部１６０が第２位置に変位する際には、延設部１８１が撓むことで保持部１６０の揺動を妨げない。このため、保持部１６０を第２位置に揺動させて行うメンテナンス作業を好適に行うことができる。
【００９９】
したがって、実施例の画像読取装置１では、シート押さえ１４９を保持する保持部１６０の揺動を良好に行いつつ、シート押さえ１４９のアースを安定してとることができる。
【０１００】
また、この画像読取装置１では、図９に示すように、付勢部１８９と延設部１８１とは、一本の金属線材が曲げ加工されてなる。これにより、この画像読取装置１では、アース部１８０について、部品点数の削減及び部品コストの低廉化を実現できる。
【０１０１】
さらに、この画像読取装置１では、図１０に示すように、挿通部１８５に形成された抜け止め部１８７によって、切欠部１７９に挿通された状態の挿通部１８５が切欠部１７９から抜け出ることが抑制される。これにより、この画像読取装置１では、保持部１６０が第１位置と第２位置との間で繰り返し変位しても、切欠部１７９から挿通部１８５が外れ難く、延設部１８１と導電部１７０との導通状態を維持できる。
【０１０２】
また、この画像読取装置１では、図８に示すように、揺動軸心Ｘ１６０に沿って延設される導電部１７０によって、開閉部９における保持部１６０を支持する部分やその周辺を補強することができる。
【０１０３】
さらに、この画像読取装置１では、図５及び図８に示すように、導電部１７０は、第１面１７１と第２面１７２Ｍ、１７２Ｎとを有する断面略Ｃ次形状とされている。切欠部１７９は、第１面１７１に形成されている。これにより、導電部１７０の剛性を向上させることができる。従って、導電部１７０の変形によって切欠部１７９の位置が変わる等の要因によって、延設部１８１と導電部１７０との導通がばらつくことを抑制できる。
【０１０４】
また、この画像読取装置１では、図８に示すように、切欠部１７９は、主走査方向である前後方向において、導電部１７０の中間位置よりも端部に近い位置に形成されている。延設部１８１は、シート押さえ１４９の中央部を付勢する付勢部１８９から切欠部１７９まで届くように、長く形成される。これにより、保持部１６０の組み付け時に、切欠部１７９に挿通部１８５を挿通させる作業を行い易い。また、延設部１８１が長く形成されることで、保持部１６０が第２位置に変位する際に延設部１８１が撓み易い。これにより、保持部１６０が第２位置への変位する際に、延設部１８１が撓むことで追従でき、延設部１８１、及び挿通部１８５が保持部１６０の変位を妨げることを抑制できる。また、延設部１８１が長く形成されていることで、保持部１６０が第１位置と第２位置との間で変位する際に、延設部１８１の動きが挿通部１８５に伝わり難い。これにより、挿通部１８５の変位、すなわち、挿通部１８５が切欠部１７９の周辺に対して移動することが抑制される。その結果、この画像読取装置１では、挿通部１８５と切欠部１７９とが擦れて異音が発生するといった不具合を抑制できる。
【０１０５】
さらに、この画像読取装置１では、延設部１８１は、一端部１８１Ａから主走査方向における切欠部１７９とは反対側に向けて延びた後に折り返されて他端部１８１Ｂまで延びている。これにより、この画像読取装置１では、延設部１８１を一層長く形成することができる。
【０１０６】
また、この画像読取装置１では、保持部１６０が開閉部９に装着される際、図１０に示すように、まず、挿通部１８５を切欠部１７９に挿通させる。次に、図９に示す第２軸１６２が図１１に示す支持穴１４１Ｈに挿入された後、図９に示す第１軸１６１が図１０及び図１２に示す支持凹部１４１Ｍに挿入される。最後に、図１２に示す規制部材１４１Ｔを取り付けることによって、第１軸１６１が支持凹部１４１Ｍから外れることを規制する。このような装着手順により、保持部１６０を開閉部９に容易に装着することができる。
【０１０７】
さらに、この画像読取装置１では、図９に示すように、保持部１６０に形成された係止部１６９が延設部１８１を一端部１８１Ａに近い位置で係止する。これにより、挿通部１８５を切欠部１７９に挿通する際や、保持部１６０が第１位置と第２位置との間で変位する際に、延設部１８１の撓みや、変位が付勢部１８９に影響することを抑制できる。
【０１０８】
また、この画像読取装置１では、図４に示すように、保持部１６０が第１位置にある状態で、導電部１７０は、上下方向から見て、シート押さえ１４９と重ならない位置にある。これにより、この画像読取装置１では、上下方向の小型化を実現できる。
【０１０９】
さらに、この画像読取装置１では、図４に示すように、保持部１６０は、上下方向から見て、押圧部９９と重ならない位置にある。これにより、この画像読取装置１では、保持部１６０が第２位置に変位する際に、押圧部９９を曲げたり、変位させる必要がないので、搬送部４を簡素化できる。
【０１１０】
また、この画像読取装置１では、図８及び図９に示すように、延設部１８１は、挿通部１８５が切欠部１７９に挿通されていない状態で、保持部１６０における前後方向に対して、ずれた方向に延びている。より具体的には、保持部１６０を上方向から、あるいは下方向から見た場合に、延設部１８１の挿通部１８５寄りの部分は、保持部１６０の外縁から突出して延びている。これにより、この画像読取装置１では、挿通部１８５を切欠部１７９に挿通させない状態で保持部１６０を開閉部９に取り付けようとする場合に、作業者がその状態を容易に認識でき、挿通忘れを防止できる。
【０１１１】
以上において、本発明を実施例に即して説明したが、本発明は上記実施例に制限されるものではなく、その趣旨を逸脱しない範囲で適宜変更して適用できることはいうまでもない。
【０１１２】
例えば、切欠部は、周縁が閉じた穴でもよいし、周縁の一部が開いていてもよい。
【０１１３】
導電部は、第２面が１つである断面略Ｌ字形状であってもよい。また、導電部は、角柱、各筒、棒状体等の様々な形状とされ得る。さらに、導電部は、前後方向に長く延設される形状に限定されるものではない。
【０１１４】
付勢部と延設部とは、異なる部材同士が接続されていてもよい。
【産業上の利用可能性】
【０１１５】
本発明は、画像読取装置又は複合機等に利用可能である。
【符号の説明】
【０１１６】
１…画像読取装置、８１…支持部（第１プラテンガラス）、８１Ａ…支持面
８…本体部、９…開閉部、９…筐体（開閉部）、Ｐ１…搬送経路
４…搬送部、８３…接触部（第３プラテンガラス）
ＳＨ…シート、ＳＨ１…シートの一面、ＳＨ２…シートの他面
３Ａ…第１読取部（読取センサ）、３Ａ…読取部（読取センサ）
３Ｂ…第２読取部（読取センサ）
１４９…シート押さえ、１６０…保持部、１７０…導電部
１７９…切欠部、１７９Ｅ…切欠部の周縁
１８０…アース部、１８９…付勢部、１８１…延設部
１８１Ａ…延設部の一端部、１８１Ｂ…延設部の他端部
１８５…挿通部、１８７…抜け止め部、Ｘ１６０…揺動軸心
１７１…導電部の第１面、１７２Ｍ、１７２Ｎ…導電部の第２面
１６１…保持部の第１軸、１６２…保持部の第２軸
１６９…係止部、９９…押圧部
【図１】
2017034397.tif 000003
【図２】
2017034397.tif 000004
【図３】
2017034397.tif 000005
【図４】
2017034397.tif 000006
【図５】
2017034397.tif 000007
【図６】
2017034397.tif 000008
【図７】
2017034397.tif 000009
【図８】
2017034397.tif 000010
【図９】
2017034397.tif 000011
【図１０】
2017034397.tif 000012
【図１１】
2017034397.tif 000013
【図１２】
2017034397.tif 000014